(57)【要約】【課題】導光体の経時的な劣化を抑制し、輝度低下を防ぐ。【解決手段】バックライト装置１２は、冷陰極管１７と、冷陰極管１７と対向状に配される光入射面１８ｂ、及び冷陰極管１７と光入射面１８ｂとの並び方向に並行するとともに光を出射させる光出射面１８ａを有する導光板１８と、冷陰極管１７及び光入射面１８ｂを取り囲むとともに、紫外線を選択的に透過し且つ少なくとも可視光線を選択的に反射するダイクロイックミラー２０と、冷陰極管１７との間にダイクロイックミラー２０を介して配され、少なくとも紫外線を選択的に吸収する紫外線吸収シート２１とを備える。【選択図】図４
2010157468.tif 000002
【特許請求の範囲】
【請求項１】
光源と、
前記光源と対向状に配される光入射面、及び前記光源と前記光入射面との並び方向に並行するとともに光を出射させる光出射面を有する導光体と、
前記光源及び前記光入射面を取り囲むとともに、紫外線を選択的に透過し且つ少なくとも可視光線を選択的に反射する波長選択性反射部材と、
前記光源との間に前記波長選択性反射部材を介して配され、少なくとも前記紫外線を選択的に吸収する紫外線吸収部材とを備える照明装置。
【請求項２】
前記波長選択性反射部材は、ほぼ透明な基材と、前記基材の表面に積層形成された誘電体多層膜とから構成される請求項１記載の照明装置。
【請求項３】
前記紫外線吸収部材は、基材と、前記基材の表面に形成された紫外線吸収剤層とから構成される請求項１または請求項２記載の照明装置。
【請求項４】
前記波長選択性反射部材及び前記紫外線吸収部材は、互いに積層され一体化されている請求項１から請求項３のいずれか１項に記載の照明装置。
【請求項５】
前記導光体のうち前記光出射面とは反対側の面には、光を前記光出射面側へ反射させる反射部材が設けられている請求項１から請求項４のいずれか１項に記載の照明装置。
【請求項６】
前記光源は、蛍光管とされる請求項１から請求項５のいずれか１項に記載の照明装置。
【請求項７】
請求項１から請求項６のいずれか１項に記載の照明装置と、前記照明装置からの光を利用して表示を行う表示パネルとを備える表示装置。
【請求項８】
前記表示パネルは、一対の基板間に液晶を封入してなる液晶パネルとされる請求項７記載の表示装置。
【請求項９】
請求項７または請求項８に記載された表示装置を備えるテレビ受信装置。
【発明の詳細な説明】
【技術分野】
【０００１】
本発明は、照明装置、表示装置及びテレビ受信装置に関する。
【背景技術】
【０００２】
従来、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、例えば光源である冷陰極管と、冷陰極管から発せられた線状の光を面状の光に変換する光学部材とを備えている。なお、上記のようなバックライト装置及び液晶表示装置の一例として下記特許文献１に記載されたものが知られている。
【特許文献１】特開２００２−２７９８１９公報
【発明の開示】
【発明が解決しようとする課題】
【０００３】
ところで、冷陰極管の発光原理は、次の通りである。すなわち、冷陰極管は、内部に水銀を封入した細長いガラス管の両端に電極を備えた構成とされており、両電極間に高電圧が加えられることで電子が飛び出し、その電子が水銀原子に衝突すると、それに伴って水銀原子から紫外線が放出され、その紫外線がガラス管の内側に塗布された蛍光体によって可視光線に変換されることをもって発光するようになっている。
【０００４】
ところが、ガラス管内で発生した紫外線は、全てが可視光線に変換されるとは限らず、僅かながらも可視光線に変換されることなくガラス管外へ漏れるおそれがある。漏れ出した紫外線が光学部材に当たると、経時的に光学部材が劣化させられ、光学部材に白濁や亀裂などの不具合が生じる可能性がある。そうなると、バックライト装置の輝度が低下し、結果として製品寿命が短くなるといった問題が生じる。
【０００５】
特に、上記した特許文献１のように、液晶パネルの直下に光学部材として導光板を配し、その側端部に冷陰極管を配したエッジライト型のバックライト装置では、冷陰極管と導光板とが近接して配されることもあって、直下型のバックライト装置よりも紫外線による導光板の劣化の進行が早く、対策が希求されるところであった。
【０００６】
本発明は上記のような事情に基づいて完成されたものであって、導光体の経時的な劣化を抑制し、輝度低下を防ぐことを目的とする。
【課題を解決するための手段】
【０００７】
本発明の照明装置は、光源と、前記光源と対向状に配される光入射面、及び前記光源と前記光入射面との並び方向に並行するとともに光を出射させる光出射面を有する導光体と、前記光源及び前記光入射面を取り囲むとともに、紫外線を選択的に透過し且つ少なくとも可視光線を選択的に反射する波長選択性反射部材と、前記光源との間に前記波長選択性反射部材を介して配され、少なくとも前記紫外線を選択的に吸収する紫外線吸収部材とを備える。
【０００８】
光源から発せられた光には、直接光入射面に入射するものと、光源及び光入射面を取り囲む波長選択性反射部材へ向かうものとがある。波長選択性反射部材へ向かう光のうち少なくとも可視光線は、波長選択性反射部材により反射されることで間接的に光入射面に入射される。一方、波長選択性反射部材へ向かう光のうち紫外線については、波長選択性反射部材を透過して紫外線吸収部材によって吸収されるので、光入射面に入射されることが回避される。これにより、導光体に入射する紫外線の光量を低減することができ、もって導光体の経時的な劣化を抑制することができる。
【０００９】
本発明の実施態様として、次の構成が好ましい。
（１）前記波長選択性反射部材は、ほぼ透明な基材と、前記基材の表面に積層形成された誘電体多層膜とから構成される。このようにすれば、基材の表面に形成した誘電体多層膜により少なくとも可視光線については選択的に反射させ、紫外線については選択的に透過させることができる。
なお、上記した波長選択性反射部材としては、例えばダイクロイックミラーなどを用いることができる。
【００１０】
（２）前記紫外線吸収部材は、基材と、前記基材の表面に形成された紫外線吸収剤層とから構成される。このようにすれば、基材の表面に形成した紫外線吸収剤層により紫外線を良好に吸収することができる。
なお、上記した紫外線吸収剤層としては、例えば酸化セリウム、酸化チタン、酸化亜鉛などの金属材料や、ベンゾトリアゾール系化合物、ベンゾフェノン系化合物、シアノアクリレート系化合物などの有機材料を用いることができる。
【００１１】
（３）前記波長選択性反射部材及び前記紫外線吸収部材は、互いに積層され一体化されている。このようにすれば、取り扱いに優れるので、生産効率の向上などを図ることができる。
【００１２】
（４）前記導光体のうち前記光出射面とは反対側の面には、光を前記光出射面側へ反射させる反射部材が設けられている。このようにすれば、導光体に入射する紫外線の光量が低減されているので、反射部材に当たる紫外線の光量も低減されており、もって反射部材の経時的な劣化を抑制することができる。
【００１３】
（５）前記光源は、蛍光管とされる。光源として蛍光管を用いると、蛍光管の内部で発生した紫外線が可視光線に変換されずに外部に放射されるおそれがあるが、そのようなものに特に有用となる。
【００１４】
次に、上記課題を解決するために、本発明の表示装置は、上記記載の照明装置と、前記照明装置からの光を利用して表示を行う表示パネルとを備える。
【００１５】
このような表示装置によると、表示パネルに対して光を供給する照明装置が、経時的に輝度低下が抑制されたものであるため、表示品質の優れた表示を実現することが可能となる。
【００１６】
前記表示パネルとしては液晶パネルを例示することができる。このような表示装置は液晶表示装置として、種々の用途、例えばテレビやパソコンのディスプレイ等に適用でき、特に大型画面用として好適である。
【発明の効果】
【００１７】
本発明によれば、導光体の経時的な劣化を抑制し、輝度低下を防ぐことができる。
【発明を実施するための最良の形態】
【００１８】
＜実施形態１＞
本発明の実施形態１を図１から図５によって説明する。本実施形態では、液晶表示装置１０について例示する。なお、各図面の一部にはＸ軸、Ｙ軸及びＺ軸を示しており、各軸方向が各図面で示した方向となるように描かれている。また、図３に示す上側を表側とし、同図下側を裏側とする。
【００１９】
本実施形態に係るテレビ受信装置ＴＶは、図１に示すように、液晶表示装置１０（表示装置）と、当該液晶表示装置１０を挟むようにして収容する表裏両キャビネットＣａ，Ｃｂと、電源Ｐと、チューナーＴとを備えており、その表示面１１ａが鉛直方向（Ｙ軸方向）に沿うようスタンドＳによって支持されている。液晶表示装置１０は、全体として横長の方形を成し、図２に示すように、表示パネルである液晶パネル１１と、外部光源であるバックライト装置１２（照明装置）とを備え、これらが枠状をなすベゼル１３などにより一体的に保持されるようになっている。
【００２０】
液晶表示装置１０を構成する液晶パネル１１は、図２に示すように、平面視矩形状をなしており、透明な（高い透光性を有する）一対のガラス基板が所定のギャップを隔てた状態で貼り合わせられるとともに、両ガラス基板間に液晶層（図示せず）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。一方のガラス基板の外周縁のうち、図２に示す手前側の長辺側外縁には、スイッチング素子を駆動制御するための複数のフレキシブル制御基板１１ａ（ドライバ）の一端側がそれぞれ接続されており、それらフレキシブル制御基板１１ａの他端側にはプリント基板１１ｂが接続されている。プリント基板１１ｂには、図示しないフレキシブル基板の一端側が接続され、そのフレキシブル基板の他端側がバックライト装置１２の裏側に設置されたコントロール基板１１ｃに接続されている。互いに接続されたフレキシブル制御基板１１ａ、プリント基板１１ｂ及びフレキシブル基板は、バックライト装置１２における図２に示す手前側の長辺側外側面に沿って折り返される。なお、両ガラス基板の外側にはそれぞれ偏光板（図示せず）が配されている。
【００２１】
バックライト装置１２は、図２及び図３に示すように、表側（光出射側、液晶パネル１１側）に開口した略箱型をなすシャーシ１４と、シャーシ１４の開口部を覆うようにして配される光学部材１５と、シャーシ１４の長辺に沿って配され光学部材１５の長辺縁部をシャーシ１４との間で挟んで保持するフレーム１６とを備える。さらに、シャーシ１４内には、当該シャーシ１４の外周縁のうち所定の外縁部にそれぞれ配される冷陰極管１７（光源、放電管、蛍光管）と、冷陰極管１７と光学部材１５との間に介在する導光板１８とが収容されている。すなわち、本実施形態では、バックライト装置１２は、導光板１８及び光学部材１５が液晶パネル１１の直下に配されるとともに光源である冷陰極管１７が導光板１８の側端部に配されてなる、いわゆるエッジライト方式（サイドライト方式）を採用している。
【００２２】
シャーシ１４は、金属製とされ、平面視矩形状をなす底板１４ａと、底板１４ａの両長辺及び両短辺の各外縁からそれぞれ表側へ立ち上がる側板１４ｂ，１４ｃとから構成される。底板１４ａは、その長辺方向が水平方向（Ｘ軸方向）と一致し、短辺方向が鉛直方向（Ｙ軸方向）と一致している。計４枚の側板１４ｂ，１４ｃのうち、図２に示す奥側の長辺側側板１４ｂ（フレキシブル制御基板１１ａやプリント基板１１ｂとは反対側の長辺側側板１４ｂ）と、一対の短辺側側板１４ｃとには、内向き（導光板１８に接近する方向）に突出する突板１４ｄがそれぞれ設けられている。つまり、シャーシ１４のうちフレキシブル制御基板１１ａやプリント基板１１ｂが折り返される長辺側外縁部を避けた３辺の各外縁部は、折り返し状に形成され、その内側に冷陰極管１７を収容可能なランプ収容空間１４ｅが確保されている（図３）。シャーシ１４内において各ランプ収容空間１４ｅに挟まれた空間に、導光板１８が収容可能とされる。各突板１４ｄの表側には、光学部材１５の長辺側縁部が載置される。また、底板１４ａの裏側には、各冷陰極管１７に電力を供給する電源回路基板などが取り付けられている。
【００２３】
光学部材１５は、液晶パネル１１やシャーシ１４の底板１４ａと同様の矩形状をなしており、拡散板１５ａと、拡散板１５ａの表側に配される複数枚の光学シート１５ｂとからなる。拡散板１５ａは、合成樹脂製の板状部材に光散乱粒子が分散配合されてなり、冷陰極管１７から出射され、導光板１８により導かれた光を拡散する機能を有する。光学シート１５ｂは、拡散板１５ａ側から順に、拡散シート、レンズシート、反射型偏光板が積層されたものであり、冷陰極管１７から出射され、拡散板１５ａを通過した光を面状の光とする機能を有する。
【００２４】
フレーム１６は、金属製とされており、液晶パネル１１及び光学部材１５の外周縁部に沿う枠状をなしている。このフレーム１６と各突板１４ｄとの間で光学部材１５における外縁部を挟持可能とされている（図３）。また、このフレーム１６は、液晶パネル１１における外縁部を裏側から受けることができ、表側に配されるベゼル１３との間で液晶パネル１１の外縁部を挟持可能とされる（図３）。
【００２５】
冷陰極管１７は、シャーシ１４における各ランプ収容空間１４ｅ内に収容されている。詳しくは、冷陰極管１７には、シャーシ１４のうち図２に示す奥側の長辺側側板１４ｂに沿って配されるものと、一対の短辺側側板１４ｃに沿ってそれぞれ配されるものとがあり、シャーシ１４のうちフレキシブル制御基板１１ａやプリント基板１１ｂが折り返される長辺側外縁部を避けた３辺の各外縁部にそれぞれ配されている。冷陰極管１７は、蛍光管の一種であり、一方向に細長い管状をなすガラス管の両端部に電極を備えた構成とされており、ガラス管の内部には水銀及び希ガスなどが封入されるとともにガラス管の内壁面には蛍光体が塗布されている。冷陰極管１７の発光原理について説明すると、ガラス管の両端部に配された両電極間に瞬間的な高電圧を加えるとそこから電子が飛び出し、その電子が水銀原子に衝突すると、それに伴って水銀原子から紫外線が放出され、その紫外線がガラス管の内側に塗布された蛍光体によって可視光線に変換されることをもって発光するようになっている。
【００２６】
導光板１８は、アクリル等の透明度の高い樹脂製とされており、光学部材１５と同様に平面視矩形状をなすとともに所定の厚みを有する板状に形成されている。導光板１８は、シャーシ１４のうち各ランプ収容空間１４ｅにより囲まれた空間に収容されるとともにその主板面を表側、つまり拡散板１５ａ側に向ける形で配されている。この主板面が導光板１８内の光を光学部材１５及び液晶パネル１１へ向けて出射させる光出射面１４ａとなっている。光出射面１４ａは、Ｘ軸方向及びＹ軸方向に沿って並行する面とされる。導光板１８の各外側面のうち、各ランプ収容空間１４ｅ内に収容された各冷陰極管１７と対向するものが、冷陰極管１７から発せられた光が入射される光入射面１８ｂとされる。詳しくは、導光板１８の外側面のうち、図２に示す奥側の長辺側外側面及び両短辺側外側面が、それぞれ冷陰極管１７と対向状をなす光入射面１８ｂとなっている。導光板１８の両短辺側外側面に配された光入射面１８ｂは、Ｙ軸方向及びＺ軸方向に沿って並行する面とされるのに対し、導光板１８の長辺側外側面に配された光入射面１８ｂは、Ｘ軸方向及びＺ軸方向に沿って並行する面とされ、いずれも光出射面１８ａに対して略直交する面とされる。また、冷陰極管１７と光入射面１８ｂとの並び方向は、Ｘ軸方向またはＹ軸方向となっており、いずれも光出射面１８ａに並行している。
【００２７】
導光板１８のうち裏側の面１８ｃ、つまり光出射面１８ａとは反対側の面１８ｃには、反射シート１９が配設されている。この反射シート１９は、導光板１８内を伝播する光を表側、つまり光出射面１８ａへ向けて反射させ、出射を促す機能を有する。このような導光板１８が配設されることにより、各冷陰極管１７から発せられた光は、導光板１８の各光入射面１８ｂに入射して内部を伝播した後、拡散板１５ａと対向する光出射面１８ａから出射することで、液晶パネル１１をその背面側から照射することが可能とされる。
【００２８】
さて、シャーシ１４における各ランプ収容空間１４ｅには、図３に示すように、冷陰極管１７と共にダイクロイックミラー２０及び紫外線吸収シート２１がそれぞれ収容されている。ダイクロイックミラー２０は、波長選択性を有する反射部材の一種であり、紫外線を選択的に透過し且つ可視光線を選択的に反射する機能を有する。一方、紫外線吸収シート２１は、紫外線を選択的に吸収する機能を有する。
【００２９】
ダイクロイックミラー２０及び紫外線吸収シート２１は、ほぼ全域にわたって互いに積層（重畳）された状態で、図示しない接着剤層を介して貼り合わせられることで一体化されており、冷陰極管１７及び導光板１８の光入射面１８ｂを取り囲む形態で各ランプ収容空間１４ｅ内に配されている。ダイクロイックミラー２０及び紫外線吸収シート２１は、冷陰極管１７とシャーシ１４の底板１４ａ、側板１４ｂ，１４ｃ及び突板１４ｄとの間に介在している。ダイクロイックミラー２０及び紫外線吸収シート２１の積層順は、内側、つまり冷陰極管１７及び光入射面１８ｂと対向する側がダイクロイックミラー２０とされるのに対し、外側、つまりシャーシ１４の底板１４ａ、側板１４ｂ，１４ｃ及び突板１４ｄと対向する側が紫外線吸収シート２１とされる。言い換えると、紫外線吸収シート２１は、冷陰極管１７との間にダイクロイックミラー２０を介在させて配されている。
【００３０】
ダイクロイックミラー２０及び紫外線吸収シート２１は、略Ｕ字型に湾曲されるとともにその両端部が導光板１８の光入射面１８ｂに対して突き合わせられている。これにより、ダイクロイックミラー２０及び紫外線吸収シート２１と冷陰極管１７との間の距離が全周にわたって概ね均等に保たれている。ダイクロイックミラー２０及び紫外線吸収シート２１の両端部と導光板１８との間には、殆ど隙間がない状態とされ、隙間からの光漏れが防止されている。また、冷陰極管１７と光入射面１８ｂとの間には、ダイクロイックミラー２０及び紫外線吸収シート２１が介在することがない。
【００３１】
ダイクロイックミラー２０は、図４に示すように、ほぼ透明な樹脂製の基材２０ａと、基材２０ａの表面に積層形成された誘電体多層膜２０ｂとから構成される。誘電体多層膜２０ｂは、基材２０ａにおける内面、つまり冷陰極管１７との対向面に形成されており、屈折率が異なる誘電体層を多数積層した構成となっている。詳しくは、誘電体多層膜２０ｂは、可視光線の波長の約１／４の厚みで且つ互いに屈折率が異なる誘電体層を多数積層した構成であり、それにより可視光線を選択的に反射させることができるとともに可視光線以外の波長領域の光、具体的には紫外線については選択的に透過させることができるようになっている。また、基材２０ａにおける内面、つまり誘電体多層膜２０ｂの形成面は、鏡面となっている。
【００３２】
このダイクロイックミラー２０における透過率の波長依存性及び反射率の波長依存性、つまり透過スペクトル及び反射スペクトルは、図５に示す通りである。すなわち、可視光線の波長領域（３８０ｎｍ〜７８０ｎｍ）においては、透過率が低く約６５％以下で、且つ反射率が高く約３５％以上となっているのに対し、紫外線の波長領域（１０ｎｍ〜３８０ｎｍ）においては、透過率が高く約６５％以上で、且つ反射率が低く約３５％以下となっている。特に、可視光線の波長領域のうち４００ｎｍ以上の領域では、透過率が著しく低く約１０％以下で、且つ反射率が著しく高く約９０％以上となっているのに対し、紫外線の波長領域のうち３５０ｎｍ以下の領域では、透過率が著しく高く約９０％以上で、且つ反射率が著しく低く約１０％以下となっている。なお、図５では、紫外線の波長領域のうち２００ｎｍ以下の領域については図示を省略しているが、概ね２００ｎｍ〜３５０ｎｍの領域と同様に透過率が９０％以上、反射率が１０％以下となっている。
【００３３】
紫外線吸収シート２１は、図４に示すように、樹脂製の基材２１ａと、基材２１ａの表面に形成される紫外線吸収剤層２１ｂとから構成される。紫外線吸収剤層２１ｂは、基材２１ａの内面、つまりダイクロイックミラー２０側を向いた面に紫外線吸収剤をほぼ均一な膜厚でもって塗布することで形成されている。紫外線吸収剤層２１ｂに含まれる紫外線吸収剤としては、例えば酸化セリウム、酸化チタン、酸化亜鉛などの金属材料や、ベンゾトリアゾール系化合物、ベンゾフェノン系化合物、シアノアクリレート系化合物などの有機材料を用いることができる。この紫外線吸収剤は、紫外線の波長領域（１０ｎｍ〜３８０ｎｍ）において高い光吸収性能を有している。なお、紫外線吸収剤において吸収可能な光の波長領域は、紫外線の波長領域に加えて多少可視光線の波長領域を含んでいても構わない。要は、液晶表示装置１０において画像を表示する際の色再現性が十分に確保されるのであれば、紫外線吸収剤によって可視光線の波長領域を多少吸収するようにしても構わない。
【００３４】
本実施形態は以上のような構造であり、続いてその作用を説明する。液晶表示装置１０に画像を表示させるにあたっては、各冷陰極管１７を点灯させるとともに、液晶パネル１１に対して画像信号を供給する。このとき、各冷陰極管１７から発せられた光は、図３に示すように、導光板１８の光入射面１８ｂに直接的にまたは間接的に入射してから内部を伝播し、反射シート１９によって反射されるなどして光出射面１８ａから外部へと出射される。導光板１８から出射した光は、拡散板１５ａ及び各光学シート１５ｂを透過することで、ほぼ面状の光に変換され、それから液晶パネル１１へと照射される。
【００３５】
ところで、冷陰極管１７を発光させる際には、ガラス管の両端部に配した両電極に高電圧を印加することで、電子を飛び出させ、その電子がガラス管内の水銀原子に衝突すると、それに伴い水銀分子から紫外線が放出され、その紫外線が蛍光体によって可視光線に変換され、もって可視光線がガラス管の外部へと放射されるようになっている。このとき、ガラス管内で発生する紫外線は、その殆どが可視光線に変換されるのであるが、僅かながらも紫外線のままガラス管の外部へと放射される可能性がある。仮に紫外線がそのまま導光板１８に入射すると、導光板１８に経時的に白濁や亀裂などの劣化を生じさせ、透過率を低下させるなどの光学的性能を毀損するおそれがある。また、仮に導光板１８内に入射した紫外線が反射シート１９に当たると、反射シート１９を経時的に劣化させ、反射率の低下などの光学的性能を毀損するおそれがある。
【００３６】
その点、本実施形態では、図４に示すように、冷陰極管１７及び導光板１８の光入射面１８ｂを取り囲む形態で、冷陰極管１７側から順にダイクロイックミラー２０及び紫外線吸収シート２１を設けるようにしているので、次の作用及び効果を得ることができる。すなわち、冷陰極管１７から放射された光（紫外線及び可視光線を含む）は、直接導光板１８の光入射面１８ｂに入射するものと、ダイクロイックミラー２０へ向かうものとに分けられる。ダイクロイックミラー２０へ向かった光のうち可視光線については、ダイクロイックミラー２０により選択的に光入射面１８ｂ側へ反射されるのに対し、紫外線については、ダイクロイックミラー２０を選択的に透過する。ダイクロイックミラー２０にて反射された可視光線は、そのまま導光板１８の光入射面１８ｂに入射するのに対し、ダイクロイックミラー２０を透過した紫外線は、その外側に待ち受ける紫外線吸収シート２１によって選択的に吸収される。このため、導光板１８の光入射面１８ｂには、冷陰極管１７から発せられた光のうち可視光線の殆どが選択的に入射し、紫外線については殆ど入射することがない。従って、導光板１８及び反射シート１９が紫外線によって経時的に劣化させられるのを抑制することができ、その光学的性能を維持することができる。このことは、バックライト装置１２の輝度を経時的に高く維持することができることを意味し、もってバックライト装置１２並びに液晶表示装置１０の製品寿命を長くすることができる。
【００３７】
以上説明したように本実施形態のバックライト装置１２は、冷陰極管１７と、冷陰極管１７と対向状に配される光入射面１８ｂ、及び冷陰極管１７と光入射面１８ｂとの並び方向に並行するとともに光を出射させる光出射面１８ａを有する導光板１８と、冷陰極管１７及び光入射面１８ｂを取り囲むとともに、紫外線を選択的に透過し且つ少なくとも可視光線を選択的に反射するダイクロイックミラー２０と、冷陰極管１７との間にダイクロイックミラー２０を介して配され、少なくとも紫外線を選択的に吸収する紫外線吸収シート２１とを備える。
【００３８】
冷陰極管１７から発せられた光には、直接光入射面１８ｂに入射するものと、冷陰極管１７及び光入射面１８ｂを取り囲むダイクロイックミラー２０へ向かうものとがある。ダイクロイックミラー２０へ向かう光のうち少なくとも可視光線は、ダイクロイックミラー２０により反射されることで間接的に光入射面１８ｂに入射される。一方、ダイクロイックミラー２０へ向かう光のうち紫外線については、ダイクロイックミラー２０を透過して紫外線吸収シート２１によって吸収されるので、光入射面１８ｂに入射されることが回避される。これにより、導光板１８に入射する紫外線の光量を低減することができ、もって導光板１８の経時的な劣化を抑制することができる。
【００３９】
ところで、上記したダイクロイックミラー２０及び紫外線吸収シート２１に代えて、例えば、紫外線を選択的に吸収し且つ可視光線を選択的に透過する波長選択性紫外線吸収部材、及び少なくとも可視光線を反射させる反射部材を用い、波長選択性紫外線吸収部材を内側（冷陰極管１７側）に、反射部材を外側に配した構成を採用すると、冷陰極管１７から発せられた可視光線は、一旦波長選択性紫外線吸収部材を透過してから反射部材により反射されて再び波長選択性紫外線吸収部材を透過することになる。つまり、可視光線は、波長選択性紫外線吸収部材を２回透過することになるため、そこで多少なりとも損失が生じ、可視光線の利用効率が低下するという問題が生じ得る。その点、本実施形態では、紫外線吸収シート２１の内側に配したダイクロイックミラー２０によって先行して可視光線を光入射面１８ｂ側へ反射させているので、可視光線がダイクロイックミラー２０及び紫外線吸収シート２１を透過することが避けられている。これにより、可視光線の利用効率を高くすることができるとともに高い輝度を得ることができるのである。
【００４０】
また、ダイクロイックミラー２０は、ほぼ透明な基材２０ａと、基材２０ａの表面に積層形成された誘電体多層膜２０ｂとから構成される。このようにすれば、基材２０ａの表面に形成した誘電体多層膜２０ｂにより少なくとも可視光線については選択的に反射させ、紫外線については選択的に透過させることができる。
【００４１】
また、紫外線吸収シート２１は、基材２１ａと、基材２１ａの表面に形成された紫外線吸収剤層２１ｂとから構成される。このようにすれば、基材２１ａの表面に形成した紫外線吸収剤層２１ｂにより紫外線を良好に吸収することができる。
【００４２】
また、ダイクロイックミラー２０及び紫外線吸収シート２１は、互いに積層され一体化されている。このようにすれば、取り扱いに優れるので、生産効率の向上などを図ることができる。
【００４３】
また、導光板１８のうち光出射面１８ａとは反対側の面には、光を光出射面１８ａ側へ反射させる反射シート１９が設けられている。このようにすれば、導光板１８に入射する紫外線の光量が低減されているので、反射シート１９に当たる紫外線の光量も低減されており、もって反射シート１９の経時的な劣化を抑制することができる。
【００４４】
また、光源は、蛍光管の一種である冷陰極管１７とされる。光源として蛍光管の一種である冷陰極管１７を用いると、冷陰極管１７の内部で発生した紫外線が可視光線に変換されずに外部に放射されるおそれがあるが、そのようなものに特に有用となる。
【００４５】
＜他の実施形態＞
本発明は上記記述及び図面によって説明した実施形態に限定されるものではなく、例えば次のような実施形態も本発明の技術的範囲に含まれる。
【００４６】
（１）上記した実施形態では、ダイクロイックミラーが紫外線を選択的に透過し且つ可視光線を選択的に反射するものを示したが、可視光線に加えて赤外線を選択的に反射するようにしてもよい。また、逆に紫外線に加えて赤外線を選択的に透過するようにしてもよい。
【００４７】
（２）上記した実施形態では、紫外線吸収シートが紫外線を選択的に吸収するものを示したが、紫外線に加えて可視光線及び赤外線の少なくともいずれか一方を選択的に吸収するようにしてもよい。また、逆に可視光線及び赤外線の少なくともいずれか一方を選択的に透過または反射するようにしてもよい。
【００４８】
（３）上記した実施形態では、ダイクロイックミラー及び紫外線吸収シートが互いに積層された状態で接着剤層により一体化されたものを示したが、接着剤層を省略し、ダイクロイックミラー及び紫外線吸収シートを互いに分離自在な状態で積層したものも本発明に含まれる。
【００４９】
（４）上記した実施形態以外にも、紫外線吸収シートに用いる紫外線吸収剤層の具体的な材料については適宜に変更可能である。
（５）上記した実施形態以外にも、ダイクロイックミラーの具体的な構造については、適宜に変更可能である。同様に紫外線吸収シートの具体的な構造については、適宜に変更可能である。
【００５０】
（６）上記した実施形態では、３本の冷陰極管を用いた場合を示したが、２本以下としたものや、４本用いるようにしたものも本発明に含まれる。また、シャーシに対する冷陰極管の配置についても適宜に変更可能である。
【００５１】
（７）上記した実施形態では、光源として蛍光管の一種である冷陰極管を用いた場合を例示したが、熱陰極管など他の種類の蛍光管を用いたものも本発明に含まれる。また、蛍光管以外の種類の放電管（水銀ランプなど）を用いたものも本発明に含まれる。
【００５２】
（８）上記した実施形態では、光源として線状光源の一種である冷陰極管（蛍光管）を用いた場合を示したが、ＬＥＤ（発光ダイオード）などの点状光源を用いるようにしたものも本発明に含まれる。また、有機ＥＬなどの面状光源を用いたものも本発明に含まれる。
【００５３】
（９）上記した実施形態以外にも光学部材の使用枚数や積層順などについては適宜に変更可能である。
【００５４】
（１０）上記した実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００５５】
（１１）上記した実施形態では、表示パネルとして液晶パネルを用いた液晶表示装置を例示したが、他の種類の表示パネルを用いた表示装置にも本発明は適用可能である。
【００５６】
（１２）上記した実施形態では、チューナーを備えたテレビ受信装置を例示したが、チューナーを備えない表示装置にも本発明は適用可能である。
【図面の簡単な説明】
【００５７】
【図１】本発明の実施形態１に係るテレビ受信装置の概略構成を示す分解斜視図
【図２】液晶表示装置の概略構成を示す分解斜視図
【図３】液晶表示装置を長辺方向に沿って切断した状態を表す断面図
【図４】ダイクロイックミラー及び紫外線吸収シートの詳細を表す拡大断面図
【図５】ダイクロイックミラーにおける透過スペクトル及び反射スペクトルを表す図
【符号の説明】
【００５８】
１０…液晶表示装置（表示装置）
１１…液晶パネル（表示パネル）
１２…バックライト装置（照明装置）
１７…冷陰極管（光源、蛍光管）
１８…導光板（導光体）
１８ａ…光出射面
１８ｂ…光入射面
１９…反射シート（反射部材）
２０…ダイクロイックミラー（波長選択性反射部材）
２０ａ…基材
２０ｂ…誘電体多層膜
２１…紫外線吸収シート（紫外線吸収部材）
２１ａ…基材
２１ｂ…紫外線吸収剤層
ＴＶ…テレビ受信装置
【図１】
2010157468.tif 000003
【図２】
2010157468.tif 000004
【図３】
2010157468.tif 000005
【図４】
2010157468.tif 000006
【図５】
2010157468.tif 000007